(57)【要約】      （修正有）【課題】単に弁当（食品収容箱）を販売・提供するだけではなく、弁当に付加価値を付け加えて高級感のある食品収容箱セットを提供する。【解決手段】食品を収容する箱体１０、および、この箱体１０の上部を覆うための蓋体１１と、から構成される弁当箱と、色紙３と、この色紙３を取り外し可能に装着させるため、蓋体１１の上面に設けられる色紙挿入袋４と、を備える。色紙挿入袋４から取り外された色紙３を、外部から視認可能な状態で装着する装飾品装着部を有する掛け軸、をさらに備える。【選択図】図２
0003169349.tif 000002
【実用新案登録請求の範囲】
【請求項１】
食品を収容する箱体、および、この箱体の上部を覆うための蓋体と、から構成される食品収容箱と、
平板状の装飾品と、
この平板状の装飾品を取り外し可能に装着させるため、前記蓋体の上面に設けられる装飾品装着手段と、を備えたことを特徴とする食品収容箱セット。
【請求項２】
前記装飾品装着手段から取り外された前記装飾品を、外部から視認可能な状態で装着する装飾品装着部を有する掛け軸、をさらに備えたことを特徴とする請求項１に記載の食品収容箱セット。
【請求項３】
前記装飾品装着手段は、前記装飾品を挿入可能な透明な袋であり、この袋を前記蓋体の上面に固着していることを特徴とする請求項１又は２に記載の食品収容箱セット。
【請求項４】
前記装飾品は、色紙であることを特徴とする請求項１〜３のいずれか１項に記載の食品収容箱セット。
【考案の詳細な説明】
【技術分野】
【０００１】
本考案は、食品を収容する箱体、および、この箱体の上部を覆うための蓋体と、から構成される食品収容箱から構成される食品収容箱セットに関するものである。
【背景技術】
【０００２】
かかる食品収容箱としては、弁当箱がある。かかる弁当箱は、駅弁として知られているもののほか、デパートなどの店舗で販売されるもの、結婚披露宴等の冠婚葬祭の場で提供されるものがある。
【考案の概要】
【考案が解決しようとする課題】
【０００３】
本考案者は、単に弁当（食品収容箱）を販売・提供するだけではなく、弁当に付加価値を付け加えて高級感のある食品収容箱セットを提供できないかを考えて、本考案に至ったものである。
【課題を解決するための手段】
【０００４】
上記課題を解決するため本考案に係る食品収容箱セットは、
食品を収容する箱体、および、この箱体の上部を覆うための蓋体と、から構成される食品収容箱と、
平板状の装飾品と、
この平板状の装飾品を取り外し可能に装着させるため、前記蓋体の上面に設けられる装飾品装着手段と、を備えたことを特徴とするものである。
【０００５】
この構成による食品収容箱セットの作用・効果は、以下の通りである。この食品収容箱セットは、食品収容箱と共に平板状の装飾品がセットで販売もしくは提供される。この装飾品としては、例えば、色紙、絵画、写真等の平板状（シート状のものを含む）が例として挙げられる。この装飾品は、装飾品装着手段により、蓋体の上面に装着される。装飾品は平板状であるから、食品収容箱の本来のサイズを維持することができ、保管のためのスペースも抑制することができる。食品収容箱セットの提供を受けた者は、装飾品を蓋体から取り外し、これを適宜の場所に装飾することで、装飾品を楽しむことができる。これにより、単に食品収容箱を販売もしくは提供するだけではなく、弁当に付加価値を付け加えて高級感のある食品収容箱セットを提供できる。
【０００６】
本考案において、前記装飾品装着手段から取り外された前記装飾品を、外部から視認可能な状態で装着する装飾品装着部を有する掛け軸、をさらに備えたことが好ましい。
【０００７】
これにより、食品収容箱セットの提供を受けた者は、装飾品を掛け軸に装着して、これを室内に掛けておくなどして装飾品を楽しむことができる。従って、掛け軸を提供することで、さらに高級感のある食品収容箱セットを提供することができる。
【０００８】
本考案に係る前記装飾品装着手段は、前記装飾品を挿入可能な透明な袋であり、この袋を前記蓋体の上面に固着していることが好ましい。
【０００９】
透明な袋に装飾品を挿入することで、外部から装飾品を視認することができる。この袋は、蓋体の上面に固着されるが、固着方法は両面テープ、接着剤、接着テープ等の適宜の方法を用いることができる。
【００１０】
本考案に係る前記装飾品は、色紙であることが好ましい。例えば、有名人のサイン色紙、芸術家（画家、書道家、俳人等）の描いた絵画、字、俳句、詩歌等を色紙として提供することで、付加価値を高め、購入意欲も増進させることができる。
【図面の簡単な説明】
【００１１】
【図１】セット販売される食品収容箱セットの外観を示す斜視図
【図２】弁当箱の構成を示す分解斜視図
【図３】掛け軸を展開して広げた状態を示した図
【図４】第２実施形態に係る食品収容箱セットの構成を示す図
【考案を実施するための形態】
【００１２】
本考案に係る食品収容箱セットの好適な実施形態を図面を用いて説明する。本実施形態では、食品収容箱として弁当箱を例に挙げて説明する。この弁当箱と色紙と掛け軸をセットとした食品収容箱セットについて説明する。図１は、セット販売される食品収容箱セットの外観を示す斜視図である。図２は、弁当箱の構成を示す分解斜視図である。
【００１３】
弁当箱１は、食品を収容する箱体１０と、箱体１０の上に被せられる蓋体１１により構成される。箱体１０の中には、ご飯やおかず等を載せるための樹脂製の収容部材１２が備えられている。なお、蓋体１１は、箱体１０と分離可能な構成を例示しているが、本考案は、これに限定されるものではなく、蓋体１１が箱体１０と一体に連結されており、ヒンジ部分（折り曲げ部分）を介して開閉可能に構成されていてもよい。
【００１４】
蓋体１１の上面には、装飾品である色紙３が装着される。色紙３は、装飾品装着手段として機能する色紙挿入袋４の中に挿入される。色紙挿入袋４は、無色透明の樹脂製の袋であり、開口部４ａが設けられている。開口部４ａを介して色紙３を出し入れすることができる。色紙３の表面には、サイン、文字、絵等が描かれており、色紙挿入袋４に挿入した状態でも、外部から視認することができる。色紙挿入袋４は、蓋体１１の表面に両面テープ、接着剤、接着テープ等により固着することができる。色紙挿入袋４は、無色ではなく、有色透明でもよい。
【００１５】
図１に示すように、掛け軸２は３つ折に折りたたまれた状態で弁当箱と共に販売あるいは提供される。図３は、掛け軸２を展開して広げた状態を示している。
【００１６】
図３に示すように、展開した掛け軸２は、縦長の長方形であり、上部に紐２２が設けられている。この紐２２は、ループ状に閉じており、これを利用して、室内の壁面に吊るすことができる。
【００１７】
掛け軸２の上下２箇所に折りたたむための折れ線２０，２１が形成され、これら折れ線２０，２１の間に、装飾品装着部として機能する色紙装着部２３が設けられている。装飾品装着部２３は、無色透明の樹脂シートであり、上下縁部が接着テープ２４により固着されている。従って、色紙装着部２３の左右両側に入口部２３ａが形成され、ここから色紙３を挿入することができる。
【００１８】
＜第２実施形態＞
図４は、第２実施形態に係る食品収容箱セットを示すものであり、弁当箱１に色紙３を装着させる装飾品装着手段の別実施形態が示される。ここでは、装飾品装着手段として、三角形の固定具５が示される。固定具５は、矩形の色紙３の四隅のうち対角線上にある２箇所の角部に設けられる。固定具５は、樹脂製あるいは樹脂シート製であり、両面テープ等により蓋体１の上面に固着される。固定具５は、挿入口５ａを有しており、色紙３の角部を挿入することができる。
【００１９】
この事例では、固定具５は２箇所であるが、３箇所もしくは４箇所に設けてもよい。固定具５の大きさは、色紙３の取り外しやすさと、装着時の安定性に応じて、適宜決めることができる。
【００２０】
＜作用＞
図１〜図３に係る実施形態の作用について説明する。弁当箱１を構成する蓋体１１の上面に色紙挿入袋４を両面テープ等を利用して取り付ける。その後、色紙３を色紙挿入袋４の開口部４ａから挿入する。また、色紙３を飾るための掛け軸２も折り畳んだ状態で準備する。色紙３が挿入された弁当箱１と掛け軸２が食品収容箱セットになった形で販売等の方法で提供される。
【００２１】
食品収容箱セットを受け取った者は、蓋体１１から色紙３を取り出して、掛け軸２の装飾品装着部２３に挿入して、室内の壁面等に掛け軸２を吊るすことで色紙３を鑑賞することができる。
【００２２】
図４の実施形態の場合は、色紙３を蓋体１１に装着する方法が異なるだけであり、その他の点は第１実施形態と同じである。
【００２３】
＜別実施形態＞
本実施形態では、弁当箱１と掛け軸２をセットにした食品収容箱セットの形で提供しているが、掛け軸２はなくてもよい。すなわち、弁当箱１に色紙３をセットした態様で食品収容箱セットとしてもよい。
【００２４】
本実施形態では装飾品の一例として色紙３を例示したが、本考案は、これに限定されるものではない。色紙以外の平板状の装飾品としては、写真や絵画などがある。また、色紙３について、色紙３に描かれる内容は特定のものに限定されるものではない。サイン、文字、水彩画、書画等、多様のものが例示できる。この点は、色紙以外の場合も同様である。
【００２５】
本実施形態では、食品収容箱として弁当箱を例示して説明したが、本考案は、これに限定されるものではない。例えば、クリスマスケーキ、誕生日等の記念ケーキ、おせち料理、等を収容する箱の場合にも、本考案は応用できるものである。
【００２６】
本考案における食品収容箱が提供される場面は、多用な場面が考えられ、特定の場面に限定されるものではない。例えば、弁当箱の場合、百貨店、スーパーにおける弁当販売、駅弁、結婚披露宴、各種祝賀会、仏事等における出席者への弁当提供、等の多様な場面が考えられる。
【符号の説明】
【００２７】
１        弁当箱
２        掛け軸
３        色紙（装飾品）
４        色紙挿入袋（装飾品装着手段）
４ａ      開口部
５        固定具（装飾品装着手段）
１０      箱体
１１      蓋体
２３      装飾品装着部
【図１】
0003169349.tif 000003
【図２】
0003169349.tif 000004
【図３】
0003169349.tif 000005
【図４】
0003169349.tif 000006